(57)【要約】【課題】遊技機における所定の入賞条件の達成を決定するため経過を一層趣向性に富んだ態様で遊技者に提示することが可能な遊技機の構成技術を提供する。【解決手段】所定の回転軸回りに遊技球を周回可能に構成された遊技球回転体１５３と、この遊技球回転体１５３の周縁部に隣接状に配置されるとともに、回転軸方向の所定の高さ位置に入賞部が形成された遊技球回転体隣接部１６１とが組み合わされた入賞装置１０５を有する遊技機であって、当該入賞装置１０５においては、遊技球回転体１５３が、回転軸回りに回転しつつ、遊技球回転体隣接部１６１に対し相対的に回転軸方向に移動し、当該遊技球回転体１５３と遊技球回転体隣接部１６１の入賞部１７５とが所定の組合せ状態となった場合に、遊技球が遊技球回転体１５３と入賞部１７５との間で移動可能とされ、これによって所定の入賞条件が達成されるよう構成されている。【選択図】        図５
2004236838.tif 000002
【特許請求の範囲】
【請求項１】
所定の回転軸回りに遊技球を周回可能に構成された遊技球回転体と、この遊技球回転体の周縁部に隣接状に配置されるとともに、前記回転軸方向における所定の高さ位置に入賞部が形成された遊技球回転体隣接部とが組み合わされた入賞装置を有する遊技機であって、
前記入賞装置においては、
前記遊技球が前記回転軸回りに周回する際に、前記遊技球回転体が、前記遊技球回転体隣接部に対し相対的に当該回転軸方向に移動し、当該遊技球回転体と前記遊技球回転体隣接部の入賞部とが所定の組合せ状態となった場合に、遊技球が前記遊技球回転体と入賞部との間で移動可能とされ、これによって所定の入賞条件が達成されるよう構成されていることを特徴とする遊技機。
【発明の詳細な説明】
【０００１】
【発明の属する技術分野】
本発明は、入賞装置を有する遊技機に関し、詳しくは遊技球による所定の入賞条件の達成を決定するための経過態様に工夫を講じることで遊技の趣向性を向上した遊技機に関する。
【０００２】
【従来の技術】
遊技機の一例として、所定の態様で駆動される入賞装置を有するパチンコ機の構成が特許文献１（特開平４−３３２５７５号公報）に開示されている。この遊技機における入賞装置では、回転体に設けられた特定球受口および普通球受口のうち、特定球受口を通り抜けた遊技球のみが特定通路に移送されて特別入賞の確度を高める遊技態様が構成される。
【０００３】
ところで、上記のように特定の遊技状態を得るべく、遊技球による所定の入賞条件が達成される過程を楽しむことが可能な入賞装置の構成については、如何に遊技者に対する趣向性を訴求するかが重要である。この点、従来の入賞装置における入賞決定経過とは異なる新たな構成態様の開発を追及する要請が高い。
【０００４】
【特許文献１】
特開平４−３３２５７５号公報
【０００５】
【発明が解決しようとする課題】
本発明は、かかる点に鑑みてなされたものであり、遊技機における所定の入賞条件の達成を決定するため経過を一層趣向性に富んだ態様で遊技者に提示することが可能な遊技機の構成技術を提供することを目的とする。
【０００６】
【課題を解決するための手段】
上記課題を達成するため、各請求項記載の発明が構成される。
請求項１に記載の発明によれば、所定の回転軸回りに遊技球を周回可能に構成された遊技球回転体と、この遊技球回転体の周縁部に隣接状に配置されるとともに、回転軸方向における所定の高さ位置に入賞部が形成された遊技球回転体隣接部とが組み合わされた入賞装置を有する遊技機が構成される。そして当該入賞装置においては、遊技球が回転軸回りに周回する際に、遊技球回転体が、遊技球回転体隣接部に対し相対的に当該回転軸方向に移動し、当該遊技球回転体と遊技球回転体隣接部の入賞部とが所定の組合せ状態となった場合に、遊技球が遊技球回転体と入賞部との間で移動可能とされ、これによって所定の入賞条件が達成されるよう構成されている。
【０００７】
このように構成することにより、本発明に係る遊技機の遊技者は、遊技球が入賞するか否かにつき、遊技球回転体が、遊技球回転体隣接部に対して相対的に回転軸方向に移動する状態を目視しつつ楽しむことが可能とされ、遊技の趣向性を一層向上することが可能となった。
【０００８】
なお、遊技球回転体が「所定の回転軸回りに遊技球を周回可能」とする形態としては、不動状とされた遊技球回転体の上で遊技球が所定の回転軸回りに周回動作する態様、および遊技球を保持した遊技球回転体自体が所定の回転軸回りに回転動作する態様のいずれをも好適に包含するものとする。
【０００９】
また「回転軸方向に移動」とは、回転軸と平行に相対移動する態様はもちろんのこと、当該回転軸に対して所定の傾斜角をなす方向に相対移動する態様も好適に包含するものとする。なお、遊技球回転体と遊技球回転体隣接部とは、遊技球の周回動作の回転軸方向に関し、互いに相対移動可能に構成されれば足り、遊技球回転体のみが移動する態様、遊技球回転体隣接部のみが移動する態様、および双方がともに移動する態様のいずれをも好適に包含するものとする。
【００１０】
さらに、本発明の趣旨により、下記に述べる各種の態様を構成することが可能である。
（態様１）
「請求項１に記載の遊技機であって、
所定の回転軸回りに回転可能に構成された回転体と、この回転体の回転周縁部に隣接状に配置されるとともに、当該回転体の回転軸方向の所定の高さ位置に入賞部が形成された回転体隣接部とが組み合わされた入賞装置を有し、
前記入賞装置においては、
前記回転体が、その回転軸回りに回転しつつ、前記回転体隣接部に対し相対的に当該回転軸方向に移動し、当該回転体と前記回転体隣接部の入賞部とが所定の組合せ状態となった場合に、遊技球が前記回転体と入賞部との間で移動可能とされ、これによって所定の入賞条件が達成されるよう構成されていることを特徴とする遊技機。」
【００１１】
この態様によれば、回転体と回転体隣接部とが組み合わされた入賞装置を有する遊技機が構成される。回転体は、所定の回転軸回りに回転するとともに、当該回転軸方向に移動可能とされる。また回転体隣接部は、この回転体の回転周縁部に隣接状に配置されるとともに、当該回転体の回転軸方向の所定の高さ位置に入賞部が形成されてなる。
【００１２】
本態様に係る遊技機における入賞装置では、回転体が回転軸回りに回転しつつ、回転体隣接部に対し相対的に当該回転軸方向に移動し、当該回転体と回転体隣接部の入賞部とが所定の組合せ状態となった場合に、遊技球が前記回転体と入賞部との間で移動可能とされ、これによって所定の入賞条件が達成されるよう構成されている。従って遊技者は、遊技球が入賞するか否かにつき、回転体隣接部に隣接しつつ回転動作する回転体が、回転軸方向に相対移動しつつ、回転体隣接部の入賞部との組合せがどのようになるかを目視しつつ楽しむことが可能とされる。この結果、遊技における入賞態様が多様化され、遊技の趣向性を向上することが可能となった。
【００１３】
本態様における回転体は、その回転軸方向に関し、回転体隣接部に対して相対移動可能に構成される。「相対」移動の態様としては、回転軸方向に回転体が移動する態様、回転軸方向に回転体隣接部が移動する態様、回転軸方向に回転体および回転体隣接部の双方がともに移動する態様のいずれも好適に包含する。また「回転軸方向に移動」とは、回転軸と平行に相対移動する態様はもちろんのこと、当該回転軸に対して所定の傾斜角をなす方向に相対移動する態様も好適に包含するものとする。
【００１４】
また回転体の「回転周縁部」は、当該回転体の外周周縁部および内周周縁部のいずれであってもよい。また回転体隣接部は、回転体の周縁部の全周に渡って隣接状に配置するのが好ましい。回転体隣接部に形成される「入賞部」は、一つまたは複数のいずれであってもよく、入賞の確率をどの程度にするかに応じて適宜に設定可能である。また回転体隣接部は、回転体の周縁部に隣接状に配置される部分を有すれば足り、一体成形によって構成される態様および複数の成形体を組み合わせて構成される態様のいずれをも包含するものとする。例えば別体で形成された回転体周縁配置部と入賞部とを一体化することで、回転体隣接部を形成するといった態様が好適に採用可能である。
【００１５】
（態様２）
「態様１に記載の遊技機であって、
所定の入賞条件の達成により、遊技上の特典を遊技者に付与するべく、
遊技球を保持しつつ、所定の回転軸回りに回転するとともに、当該回転軸方向の第１および第２の高さ位置との間で移動可能とされた回転体と、この回転体の回転周縁部に沿って隣接状に配置されるとともに、前記回転体の第２の高さ位置に対応する領域に少なくとも一つの入賞部が形成された回転体隣接部とが組み合わされた入賞装置を有する遊技機であって、
前記入賞装置においては、
前記遊技球を保持した回転体が、その回転軸回りに回転しつつ前記第１の高さ位置から第２の高さ位置に移動し、当該回転体と前記回転体隣接部の入賞部とが所定の組合せ状態となった場合に、遊技球が前記回転体から入賞部へと移動可能とされ、これによって所定の入賞条件が達成されるよう構成されていることを特徴とする遊技機。」
【００１６】
この態様によれば、態様１に記載の遊技機の入賞装置に関し、所定の入賞条件の達成により遊技上の特典を遊技者に付与するべく、回転体については、遊技球を保持しつつ、所定の回転軸回りに回転するとともに、当該回転軸方向の第１および第２の高さ位置との間で移動可能とされる。回転体の二つの位置関係については、回転軸方向の「高さ位置」として規定されるものの、回転軸は必ずしも鉛直方向である必要はなく、鉛直方向と交差した方向、あるいは水平方向が広く包含される趣旨である。
【００１７】
回転体隣接部については、回転体の回転周縁部に沿って隣接状に配置されるとともに、当該回転体の第２の高さ位置に対応する領域に少なくとも一つの入賞部が形成されるように構成する。回転体隣接部に設けられる入賞部は、入賞条件の達成確率の大小に合わせて適宜設定すればよく、一つないし複数のいずれであってもよい。
【００１８】
この態様における入賞装置では、遊技球を保持した回転体が、その回転軸回りに回転しつつ第１の高さ位置から第２の高さ位置に移動し、当該回転体と回転体隣接部の入賞部とが所定の組合せ状態となった場合に、遊技球が前記回転体から入賞部へと移動可能とされ、これによって所定の入賞条件が達成されるよう構成される。従って遊技者は、遊技球が入賞するか否かにつき、回転体隣接部に隣接しつつ回転動作する回転体が、回転軸方向に移動しつつ、回転体隣接部の入賞部との組合せがどのようになるかを目視しつつ楽しむことが可能とされる。この結果、遊技における入賞態様が多様化され、遊技の趣向性を向上することが可能となった。
【００１９】
（態様３）
「態様１または２に記載の遊技機であって、
前記第２の高さ位置への前記回転体の移動動作は、当該回転体における遊技球の保持位置に基づいて行なわれることを特徴とする遊技機。」
【００２０】
この態様によれば、第２の高さ位置への回転体の移動動作につき、回転体における遊技球の保持位置に基づいて行うよう構成される。このように構成することにより回転体隣接部における入賞部に対する入賞確率を効果的にコントロールすることが可能となるため、遊技者に与える遊技の楽しみを一層増大させることが可能とされる。
【００２１】
この態様では、例えば、回転体に遊技球の保持位置を複数形成しておき、所定の保持位置において遊技球が保持されたことをセンサ（フォトセンサ等）が検出した場合にのみ、当該回転体を回転軸方向に第２の高さ位置へと移動させるように構成し、これによって入賞装置における入賞の確率をコントロールするといった態様が適宜採用可能である。
【００２２】
（態様４）
「態様１から３までのいずれかに記載の遊技機であって、
前記第２の高さ位置への前記回転体の移動動作は、当該回転体に保持された遊技球の個数に基づいて行なわれることを特徴とする遊技機。」
【００２３】
この態様によれば、第２の高さ位置への回転体の移動動作は、当該回転体に保持された遊技球の個数に基づいて行なうよう構成される。このように構成することにより、回転体に何個の遊技球が保持されるかによって、入賞部への入賞確率を効果的にコントロールすることが可能となり、遊技者に与える遊技の楽しみを一層増大させることが可能とされる。
【００２４】
この態様では、例えば、回転体に保持される遊技球が所定数に達したことがセンサによって検出された場合にのみ、第２の高さ位置に至るまでの回転体の軸方向への移動動作が行なわれるよう構成し、これによって入賞装置における入賞の確率をコントロールするといった態様が適宜採用可能である。
【００２５】
（態様５）
「態様１から４までのいずれかに記載の遊技機であって、
前記第１の高さ位置と第２の高さ位置の間での前記回転体の移動動作態様は、遊技状態に応じて変更可能に構成されていることを特徴とする遊技機。」
【００２６】
この態様によれば、上記した第１の高さ位置と第２の高さ位置の間での回転体の移動動作の態様は、遊技状態に応じて変更可能に構成されている。「遊技状態に応じて」とは、例えば、所定の遊技条件の具備を条件に、通常の遊技状態よりも入賞の確率が高く設定されたチャンスタイムを所定の時間だけ設定するといった態様を広く含む。
【００２７】
「入賞の確率が高くなるよう移動動作の態様を変更」としては、例えば、態様３ないし態様４に記載の構成、すなわち回転体における遊技球の相対位置に基づいて回転体の軸方向への移動動作を行なうことで入賞の確率を高める態様、回転体における遊技球の保持数に基づいて回転体の軸方向への移動動作を行なうことで入賞の確率を高める態様などが好適に包含されるとともに、さらに回転体の軸方向への移動速度の設定、回転速度の設定等に関する駆動制御を広く包含するものとする。
【００２８】
このように構成することにより、例えば常時には第１の高さ位置に配置された回転体が所定の時間経過とともに軸方向に移動される一方、所定のチャンスタイム等の場合には、回転体にある程度の遊技球が保持されるまで第１の高さ位置を維持した後で、当該回転体を第２の高さ位置に移動させ、一度に複数の遊技球を用いて入賞部への入賞の可否を決定させることで入賞の確率を増大するといった設定が可能とされる。
【００２９】
（態様６）
「態様１から５までのいずれかに記載の遊技機であって、
前記回転体隣接部には、その周方向に、一般入賞口と特別入賞口が形成されるとともに、当該特別入賞口によって前記入賞部が構成されることを特徴とする遊技機。」
【００３０】
この態様によれば、複数の入賞口の一部のみを所定の入賞条件達成のための特別入賞口に設定し、残りの入賞口については一般入賞口に設定することにより、入賞条件の達成確率を合理的に設定するとともに、遊技者に付与される遊技上の特典の大小を適宜に振り分けることで遊技の趣向性を増大することに資する。
【００３１】
（態様７）
「態様６に記載の遊技機であって、
前記各入賞口間には、前記回転体の周方向外方に向かって拡開状とされる隔壁が配置されていることを特徴とする遊技機。」
【００３２】
この態様によれば、回転体隣接部における各入賞口（特別入賞口および一般入賞口）は、回転体周方向外方に向かって拡開状とされた隔壁によって区画される。この結果、各入賞口が遊技者の視覚に末広がり状に大きく訴求することが可能とされ、特別入賞の可否をわかり易く提示することが可能とされる。
【００３３】
（態様８）
「態様１から７までのいずれかに記載の遊技機であって、
前記入賞条件は、さらに他の入賞部への遊技球入賞の際に、遊技者に所定の遊技特典を付与するための権利を発生させる条件として規定されることを特徴とする遊技機。」
【００３４】
この態様によれば、各遊技機における入賞条件は、他の入賞部への遊技球入賞の際に、遊技者に所定の遊技特典を付与するための権利を発生させる条件として規定される。
【００３５】
いわゆる第３種と称呼される遊技機を例にすれば、本発明における入賞条件を達成することによって、いわゆる大当たり権が発生し、その間に他の入賞部（例えば第３種始動口）への遊技球が入賞することで、所定の特典状態（例えば大当たり状態）が得られるようにする構成が可能とされ、遊技者は趣向性に富んだ入賞装置を通じて更なる遊技上の特典獲得を目指して遊技を楽しむことが可能となる。
【００３６】
（態様９）
「態様１から８までのいずれかに記載の遊技機であって、
前記回転体は、複数の遊技球保持部が形成されたルーレットとして形成されていることを特徴とする遊技機。」
【００３７】
この態様によれば、回転体をルーレットに模すことで、入賞装置を趣向性に富んだ外観デザインとし、遊技者の遊技に対する楽しみを一層増大することに資する。
【００３８】
【発明の実施の形態】
以下、本発明の実施の形態に係るパチンコ機１０１につき図面を参照しつつ詳細に説明する。このうちパチンコ機１０１の全体構成が図１に示され、当該パチンコ機１０１の電装システム構成が図２に示され、さらにパチンコ機１０１における電動役物装置１０５の詳細な構成が図３以降に示される。なおパチンコ機１０１は、本発明における「遊技機」の一例である。
【００３９】
図１に示すように、本実施の形態に係るパチンコ機１０１の遊技盤１０３の表面に形成された遊技領域１０４には、電動役物装置１０５、始動口１０７、電動役物装置１０５への遊技球入口１０９、第３種始動口１１１、大入賞口１１３が、特に番号を付さない誘導釘、風車、一般入賞口といった周知の要素とともに、それぞれ適所に配置されている。また電動役物装置１０５には、図柄表示装置１５２が配設されている。
【００４０】
図柄表示装置１５２においては、後述する特別入賞口１７５に遊技球が入賞することを条件として、三列の図柄表示部のそれぞれにおいて所定の図柄が変動状に表示されるとともに、各列において停止した図柄の組合せに応じ、いわゆる大当たりを獲得するための権利を発生させる。
【００４１】
本発明の実施の形態に係るパチンコ機１０１は、いわゆる「第３種」と称呼されるタイプに類別される。なお電動役物装置１０５は、本発明における「入賞装置」に対応する。
【００４２】
各始動口１０７には、便宜上特に図示しない始動口センサ（図２において符号１３５で示される）が設定され、当該始動口センサによって始動口１０７に遊技球が入賞したことが検出される。遊技球が各始動口１０７のいずれかに入賞すると、遊技盤１０３の裏面側に配置された賞球装置（図３において符号１３３で示される）から所定数の賞球が払い出される。さらに始動口１０７への入賞に伴い、図１に示す電動役物装置１０５において、開閉羽根１５１が開放動作され、遊技球入口１０９が開放動作される。
【００４３】
遊技球入口１０９から入賞した遊技球が、電動役物装置１０５にて特別入賞した場合には、当該電動役物装置１０５に配設された図柄表示装置１５２において図柄が変動状に表示されるとともに、停止した図柄の組合せに応じて、いわゆる「大当たり移行権」が発生する。当該大当たり移行権の発生中に、第３種始動口１１１に遊技球が入賞した場合には、大当たり状態として大入賞口１１３が開放される。大入賞口１１３の開放は、本実施の形態では、所定時間が経過し、あるいは所定個数の遊技球が入賞するまでを一ラウンドとして、当該ラウンド中継続されることとなる。そしてかかるラウンドが所定回数（例えば１６ラウンド）継続されることとなる。
【００４４】
なお図１では、本実施の形態に係るパチンコ機１０１のうち、遊技盤１０３の表面に形成される遊技領域１０４の構成を示すものであり、当該遊技盤１０３の下方に配置される上皿、下皿、遊技球発射装置等といった周知の要素については、便宜上その説明および図示を省略することとする。
【００４５】
本実施の形態に係るパチンコ機１０１の電装システムが図２に模式的に示される。図２に示すように、本実施の形態に係るパチンコ機１０１は、概略的に見て、ＡＣ電源に接続された電源装置１２１に中継基板１２３を介して接続されたメイン制御部１２５を主体として構成される。
【００４６】
メイン制御部１２５内には、特に図示しないもののＣＰＵ、メモリ、入力処理回路および出力処理回路が適宜設定されている。さらにメイン制御部１２５には、始動口センサ１３５およびＶ入賞センサ１３７が接続され、各センサ１３５，１３７からの検知信号が適宜入力される。またメイン制御部１２５には、モータ１３９、表示制御部１３１、音制御部１２９、賞球制御部１２７がそれぞれ接続されている。また賞球制御部１２７には更に賞球の払出を実行する賞球装置１３３が接続されている。
【００４７】
モータ１３９は、メイン制御部１２５内に設けられた出力処理回路（特に図示しない）からの駆動制御信号に基づいて適宜通電駆動されることにより、電動役物装置１０５の開閉羽根１５１（図１参照）の開閉駆動制御、および後述する電動役物装置１０５における回転体１５３の回転駆動制御および回転軸方向への駆動制御を行う。表示制御部１３１は、メイン制御部１２５内に設けられた通信制御回路からの制御信号に基づいて電動役物装置１０５の図柄表示装置１５２（図１参照）の表示制御を行う。音制御部１２９は、同じくメイン制御部１２５内に設けられた通信制御回路からの制御信号に基づいてスピーカの音声出力を制御する。
【００４８】
賞球制御部１２７は、特に図示しないものの、内部にＣＰＵおよび入出力ポート等を備え、電源装置１２１から電源供給を受けて駆動されるとともに、始動口センサ１３５やＶ入賞センサ１３７からの検出信号を受けたメイン制御部１２５から適宜賞球制御信号を受けて、賞球装置１３３における賞球の払い出し制御を適宜行う。さらにメイン制御部１２５は、パチンコ機１０１を設置した遊技ホールに設けられたホールコンピュータ１４１に接続され、例えば大当たりの回数等といった遊技に関する営業情報を適宜出力する。
【００４９】
電動役物装置１０５は、図１に示すように、遊技球が入賞可能とされた遊技球入口１０９および当該遊技球入口１０９を開閉する開閉羽根１５１を有するととともに、更に図３および図４に示すように、回転体１５３、筒状体１６１および入賞部１７１を主体として構成される。筒状体１６１と入賞部１７１は、一体状に構成され、本発明における「回転体隣接部」に対応する。
【００５０】
回転体１５３は、回転軸１５４回りに回転可能に構成されるとともに、その周縁部には、当該回転体１５３の回転周方向に多数の遊技球保持部１５５が等間隔で配列されている。本実施の形態では、遊技球保持部１５５は全部で８つ形成されている。また本実施の形態における回転体１５３は、図中平面視にて右回りに回転駆動されるように設定されている。なお遊技球Ｂは、遊技球保持部１５５に保持されつつ、回転体１５３の回転動作に伴って、回転軸１５４回りを周回動作するものである。換言すれば、回転体１５３は、自ら回転動作するとともに、保持した遊技球Ｂを回転軸１５４回りに周回動作させている。この意味において、本実施の形態における回転体１５３は、本発明における「遊技球回転体」および「回転体」の双方に対応する要素として規定される。
【００５１】
特に図示しないものの、本実施の形態における電動役物装置１０５では、上記遊技球入口１０９（図１参照）近傍に遊技球の入賞個数を検出するセンサが配置されており、回転体１５３の遊技球保持部１５５に投入される遊技球の総数がカウント可能に構成されている。
【００５２】
また本実施の形態においては、回転体１５３の各遊技球保持部１５５には、交互に赤色・黒色に着色され、これにより回転体１５３はルーレットに模して構成されている。すなわち図１に示す遊技球入口１０９に入賞した遊技球を、ルーレット状に見立てた回転体１５３に投入して入賞を目指すという遊技感覚を遊技者に与えることが可能とされている。
【００５３】
筒状体１６１は、概ね鉛直方向に長軸を有する中空円筒状に形成されるとともに、その中空部には回転体１５３が配設される。筒状体１６１は、その上部領域に形成されて、回転体１５３の外周縁を塞ぐ上部外壁１６３と、その下部領域に形成された開口状の下部外壁１６５とを有する。下部外壁１６５の開口部は、回転する回転体１５３の遊技球保持部１５５から遊技球Ｂが径方向に拡散状に移動するのを許容する（図５参照）。
【００５４】
筒状体１６１の長軸と回転体１５３の回転軸とは同軸とされるとともに、回転体１５３は、筒状体１６１内において、回転軸方向（本実施の形態では、略鉛直方向）に移動可能に構成される。回転体１６１の周方向への回転動作、および回転軸方向への移動動作は、図２に示すメイン制御部１２５によって適宜通電制御されるモータ１３９を介して行なわれる。
【００５５】
なお、上部外壁１６３における回転体１５３は、本発明における「第１の高さ位置」に対応し、下部外壁１６５における回転体１５３は、本発明における「第２の高さ位置」に対応している。
【００５６】
入賞部１７１は、上記筒状体１６１の下部に置いて概ね円形椀上に形成されて配置される。入賞部１７１は、その径方向に放射状（末広がり状）に延在する隔壁１７７によって等間隔に区画形成された各種の入賞口を有する。入賞口のうちの二つは一般入賞口１７３として規定され、当該二つの一般入賞口１７３に挟まれる一つの入賞口は、特別入賞口１７５として規定される。この特別入賞口１７５は、本発明における「入賞部」に対応する要素である。
【００５７】
本実施の形態に係るパチンコ機１０１は上記のように構成される。次に当該パチンコ機１０１の作用について説明する。図１に示すパチンコ機１０１において、特に図示しない発射ハンドル装置を介し、遊技盤１０３表面の遊技領域１０４に射出された遊技球がいずれかの始動口１０７に入賞すると、当該入賞した遊技球が図２に示す始動口センサ１３５によって検出される。これにより始動口センサ１３５からの検出信号がメイン制御部１２５に送られる。メイン制御部１２５は、賞球制御部１２７に制御信号を出力し、当該賞球制御部１２７は始動口１０７への入賞に応じた数の賞球を賞球装置１３３に払い出させる。またこの賞球払い出し情報はホールコンピュータ１４１に対しても出力される。
【００５８】
さらにメイン制御部１２５は、モータ１３９に制御信号を出力し、図１に示す電動役物装置１０５の開閉羽根１５１を開放動作させる。開閉羽根１５１が開放動作することで電動役物装置１０５の遊技球入口１０９が開放され、遊技球の入賞が容易な状態が実現される。
【００５９】
開閉羽根１５１が開放動作することで開放された遊技球入口１０９に入賞した遊技球は、図３および図４に示す回転体１５３に投入される。この時、回転体１５３に投入された遊技球Ｂは、当該回転体１５３に形成された多数の遊技球保持部１５５のいずれかに保持される。
【００６０】
回転体１５３は、遊技球保持部１５５に遊技球Ｂを保持した状態で回転動作するが、このとき筒状体１６１の上部外壁１６３が、回転体１５３の外周周縁部に沿って延在するため、遊技球保持部１５５に保持された遊技球Ｂは、回転体１５３の遠心力が作用しても回転体１５３の径方向に飛散することが効果的に規制される。
【００６１】
ところで本実施の形態では、上記のように遊技球入口１０９（図１参照）に入賞した遊技球の個数がセンサによって検出されているが、この遊技球入口１０９に入賞した遊技球は全て回転体１５３に投入されるため、遊技球入口１０９への入賞個数をカウントすることにより、回転体１５３に形成された遊技球保持部１５５に投入される遊技球の総数がカウント可能である。本実施の形態では、全ての遊技球保持部１５５（合計で８個）に遊技球が保持された段階で、メイン制御部１２５（図２参照）は、モータ１３９を適宜駆動制御し、回転体１５３につき、その回転軸１５４方向に駆動させ、第１の高さ位置に対応する上部外壁１６３から、第２の高さ位置に対応する下部外壁１６５側へと下降状に移動させる。なお当該高さ方向への移動時においても回転体１５３の回転動作が維持されており、遊技球保持部１５５に保持された各遊技球Ｂには回転体１５４の回転に伴う遠心力が作用している。
【００６２】
この結果、図５および図６に示すように、回転体１５３は、下降動作して筒状体１６１の下部外壁１６５の開口部に臨むこととなる。なお回転体１５３の下降状の移動方向が図５，６においては符号Ｄ１で示される。このとき各遊技球Ｂは、回転体１５３の回転に伴う遠心力により、当該回転体１５３の径方向（図５において符合Ｄ２で示される）に拡散していくことになる。
【００６３】
特に図５によく示されるように、回転体１５３から下部外壁１６５の開口部を通じて拡散した遊技球Ｂは、入賞部１７１における一般入賞口１７３および特別入賞口１７５のいずれかに入賞することとなる。図５では、遊技球Ｂ１，Ｂ２，Ｂ４が一般入賞口１７３に入賞する遊技球であり、遊技球Ｂ３が特別入賞口１７５に入賞する遊技球として示されている。このとき隔壁１７７が回転体１５３の径方向外方に向かって拡開状とされているため、各入賞口１７３，１７５が遊技者の視覚に末広がり状に大きく訴求することが可能とされ、入賞の経過がわかり易く提示されている。
【００６４】
なお本実施の形態では、二つの一般入賞口１７３に対し、一つの特別入賞口１７５が設定されているので、回転体１５３から拡散される各遊技球Ｂの特別入賞口１７５への入賞確率は１／３となるように設定される。もちろん、双方の入賞口の数を適宜異ならせて設定することで、特別入賞の確率を増減することが可能である。
【００６５】
なお本実施の形態では、回転体１５３の下降動作、および下部外壁１６５における各遊技球の拡散動作、さらには拡散した遊技球の各入賞口１７３，１７５への入賞動作のいずれについても、遊技者の面前において視認容易に提示されるよう構成されている。
【００６６】
本実施の形態では、遊技球Ｂが特別入賞口１７５に入った場合を特別入賞と規定し、この場合には、図２に示すメイン制御部１２５は、賞球制御部１２７を通じ、賞球装置１３３に所定の個数の入賞球を払い出させるとともに、表示制御部１３１を通じ、図柄表示装置１７１において図柄の変動表示をスタートさせる。
【００６７】
一方、遊技球Ｂが、各入賞口のうち、一般入賞口１７３に入った場合を一般入賞と規定し、この場合には、図２に示すメイン制御部１２５は、賞球制御部１２７を通じ、賞球装置１３３に所定の個数の入賞球を払い出させる。一般入賞の場合には、図柄表示装置１７１における図柄の変動表示は開始されないように設定されている。
【００６８】
なお本実施の形態では、回転体１５３の上部外壁１６３から下部外壁１６５への移動動作のタイミングにつき、回転体１５３の全ての遊技球保持部１５５に遊技球が保持（合計８個）されてから行なう設定とされている。このため、回転体１５３の一度の下降動作のうちに、保持された８個の遊技球による８回の特別入賞チャンスが与えられることとなり、遊技者に特別入賞の大きな期待を付与させることが可能とされている。
【００６９】
上記電動役物装置１０５において遊技球Ｂが特別入賞口１７５に入賞すると、図１に示す電動役物装置１０５に配置された図柄表示装置１５２では、特に図示しないものの３列並列状に配設された各図柄が変動表示されるとともに、停止した図柄の組合せに応じて、第３種始動口１１１への遊技球の入賞を条件とする大当たり移行権が遊技者に付与される。すなわち、電動役物装置１０５で特別入賞口１７５に遊技球Ｂが入賞することを条件として、図柄表示装置１５２における図柄の変動表示が始動し、当該図柄表示装置１５２における各停止図柄が所定の組合せ条件を満たした場合には、遊技者に対して大当たり移行権が付与される。
【００７０】
そして、この大当たり移行権が付与されている間に、遊技球Ｂが図１に示す第３種始動口１１１に入賞することにより、大当り状態が確定し、大入賞口１１３が所定期間（本実施の形態では、所定時間が経過し、あるいは所定個数の遊技球が入賞するまで）開放動作するとともに、かかる開放動作が所定ラウンド（本発明の実施の形態では１６ラウンド）繰り返されることとなる。
【００７１】
本実施の形態に係るパチンコ機１０１では、電動役物装置１０５に関し、回転体１５３が回転軸１５４回りに回転しつつ、回転体隣接部を構成する筒状体１６１に対し当該回転軸１５４方向に移動し、回転体１５４に保持された遊技球が筒状体１６１の下部外壁１６５の開口部から入賞部１７１に拡散し、この拡散の過程で一般入賞口１７３，特別入賞口１７５のいずれかに入賞する構成とされるとともに、遊技者は、これらの遊技球が入賞する過程を目視しつつ楽しむことが可能とされる。この結果、遊技における入賞態様が多様化され、遊技の趣向性を向上することが可能となった。
【００７２】
なお本実施の形態では、固定状とされた筒状体１６１に対して、回転駆動された回転体１５３が、その回転軸１５４方向に移動動作する構成が採用されていたが、これを逆にすることも可能である。すなわち、
「請求項１に記載の遊技機であって、
所定の回転軸回りに回転可能に構成された回転体と、この回転体の回転周縁部に隣接状に配置されるとともに、当該回転体の回転軸方向に移動可能とされるとともに、当該回転体の回転軸方向の所定の高さ位置に入賞部が形成された回転体隣接部とが組み合わされた入賞装置を有する遊技機であって、
前記入賞装置においては、
前記回転体が前記回転軸回りに回転動作する一方において、前記回転体隣接部が前記回転体の回転軸方向に移動し、当該回転体と前記回転体隣接部の入賞部とが所定の組合せ状態となった場合に、遊技球が前記回転体と入賞部との間で移動可能とされ、これによって所定の入賞条件が達成されるよう構成されていることを特徴とする遊技機。」
【００７３】
このように構成することによっても、遊技者は、遊技球が入賞する過程を目視しつつ楽しむことが可能とされ、遊技における入賞態様が多様化され、遊技の趣向性を向上することが可能とされる。
【００７４】
【発明の効果】
本発明によれば、遊技機における所定の入賞条件の達成を決定するため経過を一層趣向性に富んだ態様で遊技者に提示することが可能な遊技機の構成技術が提供されることとなった。
【図面の簡単な説明】
【図１】本発明の実施の形態である遊技機における遊技盤の主要部の構成を正面視にて示す。
【図２】本発明の実施の形態に係る遊技機のシステム構成を示すシステムブロック図である。
【図３】本実施の形態における電動役物装置の構成を斜視図として示す。図３では、回転体が第１の高さ位置において回転動作する状態が示される。
【図４】図３に示す電動役物装置の正面断面構造を示す。
【図５】本実施の形態における電動役物装置の構成を斜視図として示す。図５では、回転体が第２の高さ位置に達し、保持された遊技球が各入賞口に移動していく状態が示される。
【図６】図３に示す電動役物装置の正面断面構造を示す。
【符号の説明】
１０１  パチンコ機
１０２  遊技球
１０３  遊技盤
１０４  遊技領域
１０５  電動役物装置
１０７  始動口
１０９  遊技球入口
１１１  第３種始動口
１１３  大入賞口
１１５  上皿
１１７  発射ハンドル装置
１１９  下皿
１２１  電源装置
１２３  中継基板
１２５  メイン制御部
１２７  賞球制御部
１２９  音制御部
１３１  表示制御部
１３３  賞球装置
１３５  始動口センサ
１３７  Ｖ入賞センサ
１３９  モータ
１４１  ホールコンピュータ
１５１  開閉羽根
１５２  図柄表示装置
１５３  回転体
１５４  回転軸
１５５  遊技球保持部
１６１  筒状体（回転体隣接部）
１６３  筒状体上部外壁
１６５  筒状体下部外壁
１７１  入賞部（回転体隣接部）
１７３  一般入賞口
１７５  特別入賞口（入賞部）
１７７  隔壁
【図１】
2004236838.tif 000003
【図２】
2004236838.tif 000004
【図３】
2004236838.tif 000005
【図４】
2004236838.tif 000006
【図５】
2004236838.tif 000007
【図６】
2004236838.tif 000008